(57)【特許請求の範囲】
【請求項１】
被検眼を測定又は観察を行う光学系を有する検眼部と、該検眼部を載置する載置台と、前記検眼部を前記載置台に着脱可能に接合する接合手段と、前記検眼部と前記載置台が前記接合手段により接合されているか否かを検出する検出手段と、前記検眼部を動かして被検眼に対するアライメントを行うアライメント手段と、前記検眼部の制御を行う制御手段と、前記検眼部に設け前記制御手段を介し前記検眼部を操作するための第１の操作手段と、前記載置台に設け前記制御手段を介し前記検眼部を操作するための第２の操作手段と、前記検出手段の検出結果に基づいて前記第１又は第２の操作手段の操作機能を選択的に有効とする切換手段とを備えたことを特徴とする検眼装置。
【請求項２】
前記検出手段の検出結果に基づいて前記第１又は第２の操作手段の操作機能を選択的に停止する停止手段を有する請求項１に記載の検眼装置。
【発明の詳細な説明】
【０００１】
【発明の属する技術分野】
本発明は、眼科診療所や眼鏡店等において使用される検眼装置に関するものである。
【０００２】
【従来の技術】
従来の検眼装置には、所定の場所に据え付けて使用する据置型と、据置型の機能を一部省略して持ち運びができるように軽量小型化し、場所を選ばずに適宜に検眼できるようにした手持型とが知られている。また、この手持型の装置をアライメント機構が設けられた載置台上に着脱できるように載置し、必要に応じて据置型としても使用できるようにした検眼装置がある。
【０００３】
【発明が解決しようとする課題】
しかしながら、上述の従来例の据置型の場合は、通常では被検眼の位置を安定させるために、被検者の顔を顎受け台と額当て板で保持するようになっている。しかし、車椅子に座った被検者の場合には、顔を顎受け台に載せて検眼すると、被検者は前のめりになった無理な姿勢となり、正確に検眼できないとういう問題がある。更に、寝た切り老人やベッドに横になっている患者に対しては、全く検眼操作を行うことができない。
【０００４】
一方、手持型の場合は、被検者の検眼時の姿勢に対しては柔軟に対応できるが、集団検診等のように被検者数が多いときには、装置を長時間保持している検者の腕に負担が掛かり、正確な検眼が難しくなるという問題が生ずる。このために、据置型と手持型の２種類の検眼装置を所有する必要が生じ、経済的な負担が増大し、スペースに余裕のない場所で使用することが困難となる。
【０００５】
これに対して、手持型を載置台上に載置した検眼装置が提案されているが、この検眼装置は据置型として使用する場合には、手持型の本体部にスイッチ類が集中しているために、検者が実際に検眼操作をする載置台の位置からスイッチ類の距離が離れていて極めて使い難いという問題点がある。
【０００６】
本発明の目的は、上述の問題点を解消し、検眼部を載置台に着脱可能とし、据置型としても手持型としても簡便な操作で検眼し得る検眼装置を提供することにある。
【０００７】
【課題を解決するための手段】
上記目的を達成するための本発明に係る検眼装置は、被検眼を測定又は観察を行う光学系を有する検眼部と、該検眼部を載置する載置台と、前記検眼部を前記載置台に着脱可能に接合する接合手段と、前記検眼部と前記載置台が前記接合手段により接合されているか否かを検出する検出手段と、前記検眼部を動かして被検眼に対するアライメントを行うアライメント手段と、前記検眼部の制御を行う制御手段と、前記検眼部に設け前記制御手段を介し前記検眼部を操作するための第１の操作手段と、前記載置台に設け前記制御手段を介し前記検眼部を操作するための第２の操作手段と、前記検出手段の検出結果に基づいて前記第１又は第２の操作手段の操作機能を選択的に有効とする切換手段とを備えたことを特徴とする。
【０００８】
【発明の実施の形態】
本発明を図示の実施例に基づいて詳細に説明する。
図１は据置型として使用する状態のオートレフラクトメータの斜視図、図２は側面図を示し、検眼部１、可動台２、載置台３、顎受け台４から構成され、検眼部１は可動台２の上面から突出した上下動用支柱５の上端に設けられた当接部６により取り外し自在に接合されている。
【０００９】
図３は手持型として使用している状態の検眼部１の側面図、図４は正面図を示し、検眼部１にはテレビモニタ７、電源スイッチ８、測定開始スイッチ９、スイッチ部１０、額当て１１、グリップベルト１２が設けられている。なお、測定開始スイッチ９、スイッチ部１０、グリップベルト１２は、検者が左右何れの側からでも保持操作ができるように、左右両側に設けられている。また、検眼部１の正面には測定用窓１３が設けられ、測定用窓１３の両側には被検眼Ｅの外眼を照明する外眼照明用光源１４が設けられている。
【００１０】
額当て１１の先端部には、ゴムや合成樹脂等の弾性体から成る当接部材１５が設けられ、図５（ａ）  に示すように被検者Ｓの額が当接していないときは、両側の保持部材１６を端点として所定の円弧状に保持されているが、図５（ｂ）  に示すように被検者Ｓの額が当接しているときは、当接面の圧力に応じて形状が変化するようになっている。
【００１１】
可動台２の検者側の上面には、上端部に測定開始スイッチ１７を有する操作桿１８とスイッチ部１９が並んで配置され、スイッチ部１９の上方位置の傾斜面には、測定結果を印字するプリンタ２０が配置されている。そして、載置台３の側面には電源スイッチ２１と電源ケーブル２２が設けられている。
【００１２】
図６は検眼部１が可動台２から分離している場合の信号伝達経路を示すブロック回路構成図を示し、検眼部１の内部には、被検眼Ｅの眼底に赤外光を投影する投影光学系、眼底からの赤外光を受光する受光光学系、被検眼Ｅを固視誘導する固視標光学系、アライメントのために被検眼Ｅの外眼を観察する観察光学系から構成された眼屈折力測定系２３が内蔵され、更に受光された測定光を光電変換しそのデータを基に眼屈折力を算出するＣＰＵ２４、求めた眼屈折力を記憶するメモリ２５、検眼部１に電力を供給する図示しないバッテリが内蔵されている。
【００１３】
ＣＰＵ２４には、被検眼Ｅの左右表示の切換スイッチ１０ａ、検眼時の検眼部１の角度を補正する角度補正スイッチ１０ｂ、検眼部１内にある固視標の明るさを調光する調光スイッチ１０ｃ、測定値データをプリンタ２０に転送する転送スイッチ１０ｄの４種のスイッチから成るスイッチ部１０の出力と、測定開始スイッチ９の出力が接続され、更に眼屈折測定系２３、メモリ２５が接続されている。また、ＣＰＵ２４の出力は、メモリ２４に記憶された測定値データを発信する発信部２６と、検眼部１と可動台２の当接部６との分離結合状態を検知するための端子部２７に接続されている。
【００１４】
一方、可動台２の内部にはＣＰＵ２８が設けられ、発信部２６からの信号を受信する受信部２９の出力がＣＰＵ２８に接続され、ＣＰＵ２８の出力は端子部２７に対応する端子部３０とプリンタ２０とに接続されている。
【００１５】
そして、検眼部１の発信部２６と当接部６の受信部２９が対応し、検眼部１と可動台２の当接部６と結合させることにより、検眼部１がＣＰＵ２４は測定した測定データをＣＰＵ２８を介してプリンタ２０に出力できるようになっている。また、検眼部１の端子部２７と当接部６の端子部３０が対応し、この場合は端子部２７、３０が離れているので、ＣＰＵ２４は検眼部１と可動台２が分離している状態を検知する。
【００１６】
図７は検眼部１が可動台２に接合されている場合の信号伝達経路を示すブロック回路構成図を示し、可動台２のＣＰＵ２８には測定開始スイッチ１７の出力が接続され、更に固視標の調光を行う調光スイッチ１９ａと、スイッチ部１０の転送スイッチ１０ｄと同様の機能を有するプリントスイッチ１９ｂとから成るスイッチ部１９の出力が接続されている。また、ＣＰＵ２８の出力は接触子３５に接続され、接触子３５はこれに対応する検眼部１側の接触子３６を介してＣＰＵ２４に接続されており、その他は図６と同様とされている。
【００１７】
そして、発信部２６、２９が接合することにより、ＣＰＵ２４から測定値データ等の信号がＣＰＵ２８に伝達され、接触子３５、３６が接合することにより、ＣＰＵ２８からデータ信号や電力供給用信号等がＣＰＵ２４に伝達されるようになっており、端子部２７、３０が接合することにより、検眼部１と可動台２との結合状態が検出できるようになっている。
【００１８】
図８、図９はそれぞれ検眼部１側の接合面と可動台２側の当接部６の接合面の平面図を示し、検眼部１側の孔３１ａ、３１ｂにそれぞれ当接部６のピン３２ａ、３２ｂが挿入され、検眼部１側のスチール板３３ａ、３３ｂはそれぞれ当接部６のマグネット３４ａ、３４ｂに磁力で固着され、これによって当接部６を介して検眼部１が可動台２に位置決め固定されるようになっている。更に、検眼部１側の発信部２６と当接部６の受信部２９が対応し、検眼部１側の端子部２７と当接部６の端子部３０が対応し、検眼部１側の接触子３６と当接部６の接触子３５が対応し、それぞれ互いに結合されるようになっている。
【００１９】
検眼部１を当接部６から分離して単独で被検者Ｓの眼屈折力を測定する場合には、先ず検眼部１の電源スイッチ８を押して、予め充電されたバッテリから検眼部１に電力を供給する。検者は図１０に示すようにテレビモニタ７に映し出された左右判別表示マークＴを見て、測定する眼と一致しているか否かを確認をする。例えば、図１０では右眼Ｒが表示されているが、測定しない方の眼の表示になっている場合には、検眼部１の側面に設けられたスイッチ部１０の左右表示切換スイッチ１０ａを押して表示マークを測定する眼と一致させる。
【００２０】
次に、図３に示すように、検者は額当て１１を検眼部１の側面に収納された状態から、回転機構によって被検者Ｓ側に突出させ、グリップベルト１２に手を通して検眼部１を保持しながら、被検者Ｓの額に額当て１１の当接部材１５を当接させる。被検者Ｓには、測定窓１３から検眼部１内の図示しない固視標を注視させ、外眼照明用光源１４によって照明された被検眼Ｅからの光束は、検眼部１内の観察光学系の図示しないエリアセンサ面上に結像し、光電変換されてＣＰＵ２４によってテレビモニタ７に被検眼像Ｅ’が写し出される。
【００２１】
テレビモニタ７上の被検眼像Ｅ’と検眼部１の相対角度がずれている場合には、スイッチ部１０の角度補正スイッチ１０ｂを押すと、押した分だけテレビモニタ７に図１０に示すように補正角度Ａが表示され、その角度Ａが測定値算出時に加算される。いま、図１０では角度補正値０と表示されている。ここで、被検眼像Ｅ’の虹彩Ｅｉにピントが合うようにし、かつテレビモニタ７に写し出された円形のキャラクタＣの中心と瞳孔Ｅｐの中心とが測定可能範囲内に入るようにしてアライメントを行う。
【００２２】
このとき、被検眼像Ｅ’の瞳孔ＥｐがキャラクタＣよりも縮瞳している場合には、被検眼Ｅの眼底反射光のけられによる誤測定を回避するために、スイッチ部１０の調光スイッチ１０ｃを押して固視標の明るさを減光して散瞳させる。
【００２３】
ここで、測定開始スイッチ９を押すと、測定開始スイッチ９からの信号が検眼部１内部のＣＰＵ２４に伝達され、測定系２３へ測定プロセスの命令が行われ、ＣＰＵ２４において眼屈折力が算出され、測定データがテレビモニタ７に表示されメモリ２５に記憶される。
【００２４】
他方の眼を測定する場合には、左右表示切換スイッチ１０ａを押して今回測定する眼と表示マークとを一致させ、額当て１１の当接部材１５の位置を被検眼Ｅの上部の額に移動し、上述と同様の操作により検眼測定を行う。
【００２５】
以上の測定が終了した後で、検眼部１と当接部６を結合してスイッチ部１０の転送スイッチ１０ｄを押すと、検眼部に設けられた発信部２６から当接部６に設けられた受信部２９に、光又は電波を媒体とする通信手段によってメモリ２５に記憶された両眼の測定値データが転送され、更に受信部２９から可動台２の内部のＣＰＵ２８に伝達され、プリンタ２０から測定値データが出力される。
【００２６】
次に、検眼部１を当接部６に接合し、図１、図２に示すように通常の据置型のオートレフラクトメータとして被検眼Ｅの眼屈折力を測定する場合には、先ず電源スイッチ２１を押すと、外部から電源ケーブル２２を通って可動台２と載置台３に電力が供給される。更に、当接部６の接触子３６と検眼部１の接触子３５の電力供給用端子を介して、検眼部１にも電力が供給される。なお、検眼部１内のバッテリが充電されていない場合はバッテリにも電力が供給される。
【００２７】
このとき、額当て１１は検眼部１の側面に収納されており、被検者Ｓは額当て１１の代りに顎受け台４に顎を載せて顔の位置を固定する。そして、検者は検眼測定を行うために可動台２に設けられた操作桿１８を手で握る。
【００２８】
顎受け台４に顔を固定した被検者Ｓの被検眼Ｅに対して、検者は操作桿１８を使用して、載置台３に対して図１のＸ、Ｙ方向に可動台２を移動し、Ｚ方向に上下動支柱５を上下させることにより、検眼部１を三次元的に移動してアライメントを行う。検眼部１を分離した場合と同様に、テレビモニタ７に映し出された被検眼像Ｅ’の虹彩Ｅｉにピントが合い、更にテレビモニタ７に映し出された円形のキャラクタＣの中心と瞳孔Ｅｐの中心が測定可能範囲に入ったときに、操作桿１８の上端面の測定開始スイッチ１７を押す。
【００２９】
測定開始スイッチ１７が押されると、その信号は可動台２内のＣＰＵ２８へ入力され、接触子３５、３６を経由して検眼部１内のＣＰＵ２４へ伝達され、更に測定系２３に測定プロセスの命令が出されて眼屈折値が測定される。ＣＰＵ２４はこの測定値を演算してデータをテレビモニタ７に表示しメモリ２５に記憶する。スイッチ部１９の信号もＣＰＵ２８へ伝達されるが、このとき被検眼Ｅの瞳孔Ｅｐが縮瞳している場合には、調光スイッチ１９ａを押してその信号をＣＰＵ２４に送り、測定系２３の固視標の調光を行う。また、プリントスイッチ１９ｂを押すと転送スイッチ１０ｄと同様の動作が行われ、メモリ２５に記憶された測定値データは、発信部２６、２９を経由して、可動台２内のＣＰＵ２８に伝達されてプリンタ２０に出力される。
【００３０】
端子部２７、３０には、ＣＰＵ２４とＣＰＵ２８が互いに交信するための端子が設けられており、接合時には端子部２７、３０が接触しているので交信可能となり、この交信状態にあるときをＣＰＵ２４、２８は検眼部１と当接部６が接合状態にあると判断する。逆に、分離時には端子部２７、３０も分離しているので交信できず、この交信できない状態にあるときをＣＰＵ２４、２８は検眼部１と当接部６が分離状態にあると判断する。
【００３１】
即ち、図６では端子部２７、３０は分離しているのでＣＰＵ２４、２８は交信できず、この状態を分離状態であると判断して、ＣＰＵ２４はスイッチ部１０の各スイッチの機能を実行する。分離状態のときに測定開始スイッチ１７やスイッチ部１９の各スイッチが押されると、ＣＰＵ２８は誤動作であることを知らせるために可動台２内に設けられた図示しないブザー等を鳴らし、また検眼部１へ電力供給するための図示しない回路を断にして電力供給を停止する。これは検眼部１と当接部６が正しく接合されていないことを知らせるために極めて有効である。
【００３２】
一方、図７では端子部２７、３０は接合しているので、ＣＰＵ２４、２８は交信可能状態にあり、この状態を接合状態であると判断して、ＣＰＵ２４はスイッチ部１０の角度補正スイッチ１０ｂの機能を停止する。また、ＣＰＵ２４は調光スイッチ１０ｃと転送スイッチ１０ｄの機能を、それぞれテレビモニタ７に表示される表示設定と、プリンタ２０に出力される印字設定を行う機能に切換え、更にＣＰＵ２４は図１０でテレビモニタ７に表示されている補正角度Ａの表示を停止する。可動台２が載置台３に対して左右何れの位置にあるかを検出する図示しない左右検知機能がある場合には、ＣＰＵ２４は左右表示切換スイッチ１０ａの機能を停止し、ＣＰＵ２８は左右検知機能から検出された情報をＣＰＵ２４に伝達してテレビモニタ７に左右判別の表示を行う。更に、ＣＰＵ２８は測定開始スイッチ１７とスイッチ部１９の各スイッチの機能を実行する。
【００３３】
接合状態のときに調光スイッチ１０ｃを押すと、テレビモニタ７の画面は測定画面から、図１１に示すような表示設定とプリンタ２０に出力される印字設定を行う場合の画面に切換わる。この画面には、角膜頂点間距離、測定値のインクリメント、測定値の乱視表示、プリンタ印字、日付等の設定画面終了時の各項目と各設定条件とが表示され、項目の切換えは調光スイッチ１０ｃにより、設定条件の切換えは転送スイッチ１０ｄにより画面上のカーソルを移動して行う。この場合の表示例では、項目がインクリメントに、角膜頂点間距離の設定が１２ｍｍ、インクリメントの設定が０．１２ｍｍ、乱視表示の設定がマイナス表示、プリンタ印字の設定が標準値のみの印字、日付の設定が９５年１０月２０日となっている。設定画面から測定画面に戻るときは、調光スイッチ１０ｃでカーソルを画面上のＥＮＤに移動して転送スイッチ１０ｄを押す。
【００３４】
なお、ＣＰＵ２４、２８のスイッチ間の通信は接触子３５、３６を接触させて行っているが、検眼部１と当接部６にそれぞれ光ファイバによる光通信用の入力部と出力部を設けてもよい。また、検眼部１と可動台２の脱着状態を検出するための端子部２７、３０の代りに、検眼部１と当接部６の各接合面に、分離時は突出し接合時は引っ込む検出スイッチを設けてもよい。
【００３５】
以上の説明はオートレフラクトメータについて行ったが、オートケラトメータ、非接触眼圧計、眼底カメラ等においても、光学系を有する検眼部１を単独で操作でき、かつ載置台２に検眼部１の操作を行うスイッチ類が設けられている検眼装置であれば、同様に適用することが可能である。
【００３６】
更に、検眼部１が可動台２に正しく接合されているか否かを検者に知らせることもでき、また検眼部１と可動台２の分離時と接合時のそれぞれの状態に応じた必要不必要の情報を、テレビモニタ７に表示することもできるので、検眼部１を可動台２に接合したときに、検者は従来の据置型の検眼装置のスイッチを操作するときと全く同様の操作で検眼測定を実施することができる。
【００３７】
【発明の効果】
以上説明したように本発明に係る検眼装置は、検眼部を載置台に着脱可能に接続することにより、据置型と手持型の両方の使い方が可能となり、検眼部を載置台に接合したときは、従来の据置型の検眼装置と同様のスイッチ操作で検眼することができ、検眼部と載置台の分離時と接合時それぞれに対してスイッチ操作が重複することなく、何れの場合でも誤操作のない使い易い検眼装置とすることができる。
【図面の簡単な説明】
【図１】第１の実施例のオートレフラクトメータの斜視図である。
【図２】接合時の側面図である。
【図３】分離時の検眼部の側面図である。
【図４】正面図である。
【図５】額当ての当接部分の説明図である。
【図６】分離時のブロック回路構成図である。
【図７】接合時のブロック回路構成図である。
【図８】検眼部の接合面の平面図である。
【図９】当接部の接合面の平面図である。
【図１０】アライメント時のテレビモニタ表示画面の説明図である。
【図１１】設定時のテレビモニタ表示画面の説明図である。
【符号の説明】
１  検眼部
２  可動台
３  載置台
７  テレビモニタ
９、１７  測定開始スイッチ
１０、１９  スイッチ部
１８  操作桿
２０  プリンタ
２３  眼屈折力測定系
２４、２８  ＣＰＵ
２６  発信部
２７、３０  端子部
２９  受信部
３５、３６  接触子
【図１】
0003604792.tif 000002
【図２】
0003604792.tif 000003
【図３】
0003604792.tif 000004
【図４】
0003604792.tif 000005
【図５】
0003604792.tif 000006
【図６】
0003604792.tif 000007
【図７】
0003604792.tif 000008
【図８】
0003604792.tif 000009
【図９】
0003604792.tif 000010
【図１０】
0003604792.tif 000011
【図１１】
0003604792.tif 000012